(57)【要約】【課題】吐水部を保持部から取り外す際の意図しない吐水を防止できる吐水装置を提供する。【解決手段】給水ホースに接続される吐水部と、前記吐水部を脱着自在に保持する保持部と、前記吐水部の吐水口近傍の人体を検出する第１センサと、前記吐水部を前記保持部から取り外そうとする人体の動きを検出する第２センサと、前記第１センサから出力される第１検出信号に基づいて、前記吐水部の吐止水を制御する制御部と、を備えた吐水装置において、前記制御部は、前記第２センサが前記吐水部を前記保持部から取り外そうとする人体の動きを検出すると、前記第１検出信号に基づく前記吐水部からの吐水を禁止する。【選択図】図１
2018168529.tif 000002
【特許請求の範囲】
【請求項１】
給水ホースに接続される吐水部と、
前記吐水部を脱着自在に保持する保持部と、
前記吐水部の吐水口近傍の人体を検出する第１センサと、
前記吐水部を前記保持部から取り外そうとする人体の動きを検出する第２センサと、
前記第１センサから出力される第１検出信号に基づいて、前記吐水部の吐止水を制御する制御部と、
を備えた吐水装置において、
前記制御部は、前記第２センサが前記吐水部を前記保持部から取り外そうとする人体の動きを検出すると、前記第１検出信号に基づく前記吐水部からの吐水を禁止する吐水装置。
【請求項２】
前記第２センサの検知領域は、前記第１センサの検知領域を含まない請求項１記載の吐水装置。
【請求項３】
前記吐水部の吐水口は、下方に向けて吐水するように設けられ、
前記第１センサは、前記吐水部に設けられ、前記吐水口付近に位置し、
前記第１センサの検知領域は、前記吐水口の下方に形成され、
前記第２センサの検知領域は、前記第１センサの検知領域よりも上方に形成される請求項１または２に記載の吐水装置。
【請求項４】
前記第２センサは、前記吐水装置に接近する人体をさらに検出し、
前記制御部は、前記第２センサが前記吐水装置に接近する人体を検出すると、前記吐水部からの吐水の禁止以外の制御をさらに行う請求項１〜３のいずれか１つに記載の吐水装置。
【請求項５】
前記制御部は、
前記第２センサから出力される第２検出信号の電圧の振幅値が第１閾値を超えた場合に、前記吐水部からの吐水の禁止以外の制御を行い、
前記振幅値が、前記第１閾値よりも大きい第２閾値を超えた場合に、前記吐水部からの吐水の禁止を行う、
請求項４記載の吐水装置。
【請求項６】
前記第２センサは、電波センサである請求項１〜５のいずれか１つに記載の吐水装置。
【請求項７】
前記第２センサは、測距式のセンサである請求項１〜６のいずれか１つに記載の吐水装置。
【請求項８】
前記制御部は、前記第２センサが前記吐水部を前記保持部から取り外そうとする人体の動きを所定時間継続して検出した場合に、前記吐水部からの吐水を禁止する請求項１〜７のいずれか１つに記載の吐水装置。
【請求項９】
前記制御部は、前記吐水部が前記保持部に取り付けられてから所定時間経過した後に、前記吐水部からの吐水の禁止を解除する請求項１〜８のいずれか１つに記載の吐水装置。
【請求項１０】
前記吐水部が前記保持部に取り付けられた後に、前記第２センサの検知領域から離れようとする人体の動き、または前記第２センサの検知領域から人体が離れたことを、前記第２センサが検出すると、前記制御部は前記吐水部からの吐水の禁止を解除する請求項１〜９のいずれか１つに記載の吐水装置。
【請求項１１】
前記制御部は、前記第２センサの検出結果に基づいて前記吐水部からの吐水を禁止してから所定時間経過した後、前記吐水部からの吐水の禁止を解除する請求項１〜１０のいずれか１つに記載の吐水装置。
【請求項１２】
前記吐水部が前記保持部から取り外されたことを検出する第３センサをさらに備え、
前記制御部は、前記吐水部が前記保持部から取り外されたことを前記第３センサが検出すると、前記第２センサを停止させる請求項１〜１１のいずれか１つに記載の吐水装置。
【請求項１３】
前記吐水部が前記保持部から取り外されたことを検出する第３センサをさらに備え、
前記制御部は、
前記吐水部が前記保持部から取り外されていることを前記第３センサが検出すると、前記第２センサの検出結果に基づく前記吐水部からの吐水の禁止を無効化し、前記第３センサの検出結果に基づいて前記吐水部からの吐水を禁止し、
前記吐水部が前記保持部に取り付けられたことを前記第３センサが検出すると、前記第３センサの検出結果に基づく前記吐水部からの吐水の禁止を解除し、前記第２センサの検出結果に基づく前記吐水部からの吐水の禁止を有効化する
請求項１〜１１のいずれか１つに記載の吐水装置。
【発明の詳細な説明】
【技術分野】
【０００１】
本発明の態様は、一般的に、吐水装置に関する。
【背景技術】
【０００２】
保持部に対して吐水部が脱着可能に設けられた吐水装置がある。特許文献１および２では、この吐水装置において、吐水部が保持部から取り外された際に自動吐水機能を停止し、手動スイッチの信号のみに基づいて吐水することが開示されている。
【先行技術文献】
【特許文献】
【０００３】
【特許文献１】特開平４−７３３３３号公報
【特許文献２】特開２００３−１６６２６７号公報
【発明の概要】
【発明が解決しようとする課題】
【０００４】
特許文献１および２に開示された技術によれば、吐水部を取り外した後の、吐水部からの意図しない吐水を防ぐことができる。しかし、吐水部を取り外す際に、取り外そうとした手がセンサによって検出され、意図しない吐水が行われる可能性があり、未だ改善の余地があった。
本発明は、かかる課題の認識に基づいてなされたものであり、吐水部を取り外す際の意図しない吐水を防止できる吐水装置を提供することを目的とする。
【課題を解決するための手段】
【０００５】
第１の発明は、給水ホースに接続される吐水部と、前記吐水部を脱着自在に保持する保持部と、前記吐水部の吐水口近傍の人体を検出する第１センサと、前記吐水部を前記保持部から取り外そうとする人体の動きを検出する第２センサと、前記第１センサから出力される第１検出信号に基づいて、前記吐水部の吐止水を制御する制御部と、を備えた吐水装置において、前記制御部は、前記第２センサが前記吐水部を前記保持部から取り外そうとする人体の動きを検出すると、前記第１検出信号に基づく前記吐水部からの吐水を禁止する吐水装置である。
【０００６】
この吐水装置によれば、使用者が吐水部を保持部から取り外そうとして、手の一部が第１センサの検知領域に入ってしまった場合でも、吐水部から吐水されない。従って、吐水部を保持部から取り外す際の意図しない吐水を防ぎ、吐水装置の使い勝手を向上させることが可能となる。
【０００７】
第２の発明は、第１の発明において、前記第２センサの検知領域は、前記第１センサの検知領域を含まない吐水装置である。
【０００８】
この吐水装置によれば、手を洗おうとしたにも拘らず吐水部からの吐水が禁止されることを防ぎ、吐水装置１の使い勝手をさらに向上させることができる。
【０００９】
第３の発明は、第１または第２の発明において、前記吐水部の吐水口は、下方に向けて吐水するように設けられ、前記第１センサは、前記吐水部に設けられ、前記吐水口付近に位置し、前記第１センサの検知領域は、前記吐水口の下方に形成され、前記第２センサの検知領域は、前記第１センサの検知領域よりも上方に形成される吐水装置である。
【００１０】
この吐水装置によれば、吐水部を保持部から取り外そうとする手が、第１センサの検知領域に入り難くなるため、意図しない吐水をより確実に防止することができる。
【００１１】
第４の発明は、第１〜第３のいずれか１つの発明において、前記第２センサは、前記吐水装置に接近する人体をさらに検出し、前記制御部は、前記第２センサが前記吐水装置に接近する人体を検出すると、前記吐水部からの吐水の禁止以外の制御をさらに行う吐水装置である。
【００１２】
この吐水装置によれば、第２センサで複数の制御を行うことができる。このため、吐水装置に設けられるセンサの数を減らし、吐水装置を小型化することが可能となる。
【００１３】
第５の発明は、第４の発明において、前記制御部は、前記第２センサから出力される第２検出信号の電圧の振幅値が第１閾値を超えた場合に、前記吐水部からの吐水の禁止以外の制御を行い、前記振幅値が、前記第１閾値よりも大きい第２閾値を超えた場合に、前記吐水部からの吐水の禁止を行う、吐水装置である。
【００１４】
この吐水装置によれば、使用者が吐水装置に接近した際に、誤って自動吐水が禁止されることを防ぎ、吐水装置の使い勝手をさらに向上させることができる。
【００１５】
第６の発明は、第１〜第５のいずれか１つの発明において、前記第２センサは、電波センサである吐水装置である。
【００１６】
この吐水装置によれば、第２センサのために光を透過させる窓を備える必要が無く、第２センサを吐水装置の内部に隠蔽することができる。このため、吐水装置の意匠性および清掃性を向上させることができる。また、第２センサによって人体の接近および離反を検出することができるため、使用者が吐水部を保持部から取り外そうとした際に、より正確に吐水部からの吐水を禁止することができ、吐水装置の使い勝手をさらに向上させることができる。
【００１７】
第７の発明は、第１〜第６のいずれか１つの発明において、前記第２センサは、測距式のセンサである吐水装置である。
【００１８】
この吐水装置によれば、第２センサに接近する人体をより正確に検出することができるため、使用者が吐水部を保持部から取り外そうとした際に、より正確に吐水部からの吐水を禁止することができ、吐水装置の使い勝手をさらに向上させることができる。
【００１９】
第８の発明は、第１〜第７のいずれか１つの発明において、前記制御部は、前記第２センサが前記吐水部を前記保持部から取り外そうとする人体の動きを所定時間継続して検出した場合に、前記吐水部からの吐水を禁止する吐水装置である。
【００２０】
この吐水装置によれば、使用者が手を洗おうとした際に、一時的に手が第２センサの検知領域に入ってしまった場合でも、吐水が禁止されないため、使い勝手をさらに向上させることができる。
【００２１】
第９の発明は、第１〜第８のいずれか１つの発明において、前記制御部は、前記吐水部が前記保持部に取り付けられてから所定時間経過した後に、前記吐水部からの吐水の禁止を解除する吐水装置である。
【００２２】
この吐水装置によれば、使用者が吐水部を保持部から取り外して使用し、吐水部が保持部に取り付けられた後に、所定時間が経過すると、自動的に吐水の禁止が解除される。従って、使用者が、吐水の禁止を解除する操作を行う必要が無く、吐水装置の使い勝手をさらに向上させることができる。
【００２３】
第１０の発明は、第１〜第９のいずれか１つの発明において、前記吐水部が前記保持部に取り付けられた後に、前記第２センサの検知領域から離れようとする人体の動き、または前記第２センサの検知領域から人体が離れたことを、前記第２センサが検出すると、前記制御部は前記吐水部からの吐水の禁止を解除する吐水装置である。
【００２４】
この吐水装置によれば、使用者が吐水部を保持部から取り外して使用し、吐水部が保持部に取り付けられた後に、吐水装置から離れると、自動的に吐水の禁止が解除される。このため、使用者が、自動吐水の禁止を解除する操作を行う必要が無く、吐水装置の使い勝手をさらに向上させることができる。
【００２５】
第１１の発明は、第１〜第１０のいずれか１つの発明において、前記制御部は、前記第２センサの検出結果に基づいて前記吐水部からの吐水を禁止してから所定時間経過した後、前記吐水部からの吐水の禁止を解除する吐水装置である。
【００２６】
この吐水装置によれば、吐水部を取り外そうとして止めた場合などに、自動的に吐水の禁止が解除されるため、吐水装置の使い勝手をさらに向上させることができる。
【００２７】
第１２の発明は、第１〜第１１のいずれか１つの発明において、前記吐水部が前記保持部から取り外されたことを検出する第３センサをさらに備え、前記制御部は、前記吐水部が前記保持部から取り外されたことを前記第３センサが検出すると、前記第２センサを停止させる吐水装置である。
【００２８】
この吐水装置によれば、吐水部が保持部から取り外されているときに、第２センサの検知領域から人体が離れ、第２センサの検出結果に基づいた吐水の禁止が解除された場合でも、吐水部から自動吐水されることを防止できる。従って、この吐水装置によれば、吐水部を保持部から取り外す際の意図しない吐水を防止できるとともに、吐水部を取り外した後の意図しない吐水も防止することが可能となる。また、吐水部が取り外されたことを第３センサが検出すると、第２センサが停止するため、吐水装置の消費電力を低減することが可能である。
【００２９】
第１３の発明は、第１〜第１１のいずれか１つの発明において、前記吐水部が前記保持部から取り外されたことを検出する第３センサをさらに備え、前記制御部は、前記吐水部が前記保持部から取り外されていることを前記第３センサが検出すると、前記第２センサの検出結果に基づく前記吐水部からの吐水の禁止を無効化し、前記第３センサの検出結果に基づいて前記吐水部からの吐水を禁止し、前記吐水部が前記保持部に取り付けられたことを前記第３センサが検出すると、前記第３センサの検出結果に基づく前記吐水部からの吐水の禁止を解除し、前記第２センサの検出結果に基づく前記吐水部からの吐水の禁止を有効化する吐水装置である。
【００３０】
この吐水装置によれば、第２センサを停止させずに、第２センサおよび第３センサの検出結果に基づく吐水部からの吐水の禁止を制御することができ、第２センサの検出精度の低下を抑制することが可能である。
【発明の効果】
【００３１】
本発明の態様によれば、吐水部を取り外す際の意図しない吐水を防止できる吐水装置が提供される。
【図面の簡単な説明】
【００３２】
【図１】第１実施形態に係る吐水装置を表す斜視図である。
【図２】第１実施形態に係る吐水装置を表す断面図である。
【図３】第１実施形態に係る吐水装置の使用態様を例示する断面図である。
【図４】第１実施形態に係る吐水装置の構成の一部を表すブロック図である。
【図５】第２実施形態に係る吐水装置を表す断面図である。
【図６】第２実施形態に係る吐水装置の構成の一部を表すブロック図である。
【図７】第２実施形態に係る吐水装置の動作を例示するフローチャートである。
【図８】第２実施形態に係る吐水装置の他の動作を例示するフローチャートである。
【図９】第２実施形態に係る吐水装置の第２センサから出力される検出信号を例示するグラフである。
【発明を実施するための形態】
【００３３】
以下、本発明の実施形態について図面を参照しつつ説明する。なお、各図面中、同様の構成要素には同一の符号を付して詳細な説明は適宜省略する。  
【００３４】
（第１実施形態）
図１は、第１実施形態に係る吐水装置１を表す斜視図である。
図２は、第１実施形態に係る吐水装置１を表す断面図である。図２では、図１に表した矢印Ａ１から見た場合の断面が表されている。また、図２では、操作部１３５などの構成要素の一部が省略されている。
【００３５】
図１および図２に表したように、吐水装置１は、給水ホース１１０、吐水部１２０、保持部１３０、第１センサ１４０、第２センサ１５０、および制御部１７０を備える。
【００３６】
給水ホース１１０（図２に示す）は、水道配管等の不図示の給水源に接続されている。給水ホース１１０には、この給水源から水が供給される。吐水部１２０は、給水ホース１１０に接続されている。吐水部１２０の先端には、吐水口１２１が設けられており、給水ホース１１０に供給された水は、この吐水口１２１から吐出される。
【００３７】
保持部１３０は、例えば、ボウル１２５の上方に設けられている。給水ホース１１０の一部は、保持部１３０の内側に収納されている。給水ホース１１０の一端は、保持部１３０の下面に設けられた引出口１３１から引き出されている。吐水部１２０は、引出口１３１から引き出された給水ホース１１０の一端に接続されている。
【００３８】
吐水部１２０は、保持部１３０に脱着自在に保持される。吐水部１２０が保持部１３０から取り外された際、保持部１３０内に収納されていた給水ホース１１０が引出口１３１から引き出される。これにより、使用者は、吐水部１２０が保持部１３０から離間した状態で、吐水口１２１から吐水させることができる。
【００３９】
吐水装置１は、図１に表したように、操作部１３５を備えていても良い。使用者は、操作部１３５を操作することで、後述する第１センサ１４０および第２センサ１５０の検出結果に拘らず、吐水部１２０の吐止水を制御することができる。なお、操作部１３５は、図１に表したようなレバーであっても良いし、スイッチなどであっても良い。
【００４０】
第１センサ１４０は、吐水口１２１近傍の人体を検出する。第１センサ１４０は、例えば、吐水部１２０に設けられ、吐水口１２１付近に位置している。第１センサ１４０は、反射光量式の光電センサまたは測距式のセンサ等である。
【００４１】
第１センサ１４０の検知領域１４１は、吐水口１２１の下方に形成される。なお、第１センサ１４０が吐水部１２０に設けられる場合は、吐水部１２０の保持部１３０からの脱着に応じて検知領域１４１の位置も変化しうる。この場合、吐水部１２０が保持部１３０に保持された状態において、検知領域１４１が吐水口１２１の下方に形成されていれば良い。
【００４２】
第２センサ１５０は、吐水部１２０を保持部１３０から取り外そうとする人体の動きを検出する。第２センサ１５０は、電波センサ、超音波センサ、または光電センサ等である。第２センサ１５０は、電波や超音波、光を用いた測距式のセンサであっても良い。第２センサ１５０は、例えば、保持部１３０の内側に設けられている。
【００４３】
制御部１７０は、第１センサ１４０および第２センサ１５０から出力される検出結果に基づき、吐水装置１の各構成要素の動作を制御する。制御部１７０は、例えば、保持部１３０の内側に設けられている。
【００４４】
次に、図２および図３を参照しつつ、本実施形態に係る吐水装置１の動作の概略について説明する。
図３は、第１実施形態に係る吐水装置１の使用態様を例示する断面図である。図３は、使用者が吐水部１２０を保持部１３０から取り外して使用するときの様子を表している。
【００４５】
図２に表したように、吐水部１２０が保持部１３０に保持された状態で使用者が手を洗う場合、吐水部１２０の下方に形成された検知領域１４１に手が差し出され、第１センサ１４０によって人体が検出される。制御部１７０は、第１センサ１４０から出力される検出信号（第１検出信号）に基づき、吐水部１２０の吐止水を制御する。例えば、制御部１７０は、第１センサ１４０によって人体が検出されると、吐水部１２０から吐水する。以降では、簡潔な説明のために、第１センサ１４０の検出信号に基づく吐水部１２０からの吐水を「自動吐水」と称する。
【００４６】
図３（ａ）に表したように、使用者が吐水部１２０を保持部１３０から取り外そうとする場合、使用者は、手を洗う場合よりも上方に手を差し出し、吐水部１２０を掴む。そして、図３（ｂ）に表したように、吐水部１２０が下方へ引っ張られることで、吐水部１２０が保持部１３０から取り外される。これらの動作において、図３（ａ）に表したように、差し出された手が第２センサ１５０の検知領域１５１を通ることで、第２センサ１５０が吐水部１２０を取り外そうとする人体の動きを検出する。制御部１７０は、第２センサ１５０が人体の当該動きを検出すると、第１センサ１４０の検出信号に基づく吐水部１２０からの吐水を禁止（すなわち、自動吐水を禁止）する。
【００４７】
図４は、第１実施形態に係る吐水装置１の構成の一部を表すブロック図である。
上述した動作を実現させるために、制御部１７０は、図４に表したように、吐止水検知判定部１７１および吐水禁止検知判定部１７２を有する。
【００４８】
吐止水検知判定部１７１は、第１センサ１４０から出力される検出信号が、吐水口１２１の吐水または止水を行う条件を満たしているか判定する。一例として、第１センサ１４０が、反射光量式の光電センサである場合、吐止水検知判定部１７１は、第１センサ１４０で検出された反射光量に基づく信号の電圧値と、所定の閾値と、を比較する。そして、電圧値が閾値を超えた場合、吐止水検知判定部１７１は、図２に表したように、検知領域１４１に人体が有ると判定する。制御部１７０は、この判定結果を受けて、吐水部１２０から吐水させる。振幅値が閾値を下回る場合、吐止水検知判定部１７１は検知領域１４１に人体が無いと判定する。制御部１７０は、この判定結果を受けて吐水部１２０を止水する。
【００４９】
吐水禁止検知判定部１７２は、第２センサ１５０から出力される検出信号（第２検出信号）が、自動吐水を禁止する条件を満たしているか判定する。一例として、第２センサ１５０が電波センサである場合、吐水禁止検知判定部１７２は、第２センサ１５０の検出信号の電圧の振幅値と、所定の第１閾値と、を比較する。振幅値が第１閾値を超えた場合、吐水禁止検知判定部１７２は、図３（ａ）に表したように、吐水部１２０を保持部１３０から取り外そうとする人体の動きが有るものと判定する。制御部１７０は、この判定結果を受けて、自動吐水を禁止する。
【００５０】
ここで、第１実施形態に係る発明の効果について説明する。
吐水装置１は、上述したように、吐水部１２０を保持部１３０から取り外そうとする人体の動きを検出する第２センサ１５０を備える。そして、第２センサ１５０が吐水部１２０を保持部１３０から取り外そうとする人体の動きを検出すると、制御部１７０は自動吐水を禁止する。
【００５１】
この吐水装置１によれば、使用者が吐水部１２０を保持部１３０から取り外そうとして、手の一部が第１センサ１４０の検知領域１４１に入ってしまった場合でも、自動吐水が禁止されているため、吐水部１２０から吐水されない。従って、本実施形態によれば、吐水部１２０を保持部１３０から取り外す際の意図しない吐水を防ぐことができ、吐水装置１の使い勝手を向上させることが可能となる。
【００５２】
吐水装置１において、第２センサ１５０の検知領域１５１は、第１センサ１４０の検知領域１４１を含んでいないことが望ましい。検知領域１５１が検知領域１４１を含んでいる場合、使用者が、吐水部１２０から吐水させる目的で手を差し出したにも拘わらず、第２センサ１５０によって手が検出され、自動吐水が禁止されてしまう可能性がある。検知領域１５１が検知領域１４１を含まないことで、このように、手を洗おうとしたにも拘らず吐水部からの吐水が禁止されることを防ぎ、吐水装置１の使い勝手をさらに向上させることができる。
【００５３】
また、図２に表したように、吐水口１２１が下方に向けて吐水するように設けられていると、手を洗おうとした場合の手の位置が、吐水部１２０を保持部１３０から取り外そうとした場合の手の位置よりも下方になる。このような構成の吐水装置１において、第１センサ１４０を吐水口１２１付近に設け、検知領域１４１を吐水口１２１よりも下方に形成し、検知領域１５１を検知領域１４１よりも上方に形成することで、吐水部１２０を保持部１３０から取り外そうとする手が、検知領域１４１に入り難くなる。このため、意図しない吐水をより確実に防止することができる。
【００５４】
さらに、制御部１７０は、第２センサ１５０が保持部１３０から吐水部１２０を取り外そうとする人体の動きを所定時間継続して検出した場合に、自動吐水を禁止しても良い。こうすることで、使用者が手を洗おうとした際に、一時的に手が検知領域１５１に入ってしまった場合でも、自動吐水が禁止されないため、吐水装置１の使い勝手をさらに向上させることができる。
【００５５】
なお、自動吐水が禁止されて所定時間経過した後、制御部１７０によって自動吐水の禁止が解除されることが望ましい。こうすることで、吐水部１２０を取り外そうとして止めた場合などにも、自動的に自動吐水の禁止が解除されるため、吐水装置１の使い勝手をさらに向上させることができる。
また、制御部１７０は、自動吐水が禁止されて所定時間が経過した後、第２センサ１５０の検出結果に拘わらず、自動吐水の禁止を解除しても良い。こうすることで、第２センサ１５０が洗おうとする手を誤って検出し続けた場合でも、所定時間が経過すると自動吐水の禁止が解除されるため、吐水装置１の使い勝手をさらに向上させることができる。
【００５６】
吐水装置１は、図１に表したように、自動吐水が禁止されていることを使用者に報知する報知部１３６をさらに備えていても良い。報知部１３６は、例えばＬＥＤなどの光源を有し、自動吐水が禁止されている場合に点灯する。この場合、使用者は、報知部１３６を確認することで、制御部１７０によって自動吐水が禁止されているかを確認することができる。このため、使用者が吐水装置１に異常が生じていると誤認し難くなり、吐水装置１の使い勝手をさらに向上させることができる。なお、使用者が認識することができれば、報知部１３６の態様は任意である。報知部１３６は、光の他に、音を発したり、文字やアイコン等を表示させたりしても良い。
【００５７】
また、第２センサ１５０は、吐水部１２０を保持部１３０から取り外そうとする人体の動きを検出することができれば、どのような形式のセンサであっても良い。ただし、第２センサ１５０は、電波センサまたは測距式のセンサであることが望ましい。
【００５８】
第２センサ１５０が測距式センサである場合、第２センサ１５０に接近する人体（手）をより正確に検出することができる。このため、使用者が吐水部１２０を保持部１３０から取り外そうとした際に、より正確に自動吐水を禁止することができ、吐水装置１の使い勝手をさらに向上させることができる。
【００５９】
第２センサ１５０が電波センサである場合、第２センサ１５０に対する人体の接近および離反を検出することができる。このため、使用者が吐水部１２０を保持部１３０から取り外そうとした際に、より正確に自動吐水を禁止することができ、吐水装置１の使い勝手をさらに向上させることができる。また、吐水装置１に光を透過させる窓を設ける必要が無く、第２センサ１５０を吐水装置１の内部に隠蔽することができるため、吐水装置１の意匠性および清掃性を向上させることもできる。
【００６０】
なお、吐水装置１は、第２センサ１５０が吐水部１２０を取り外そうとする人体の動きを検出した場合に、第１センサ１４０を停止させるように構成されていても良い。第１センサ１４０が停止することで、第１センサ１４０の検出結果に基づく吐水も行われなくなる。従って、このような構成においても、吐水部１２０を取り外す際の意図しない吐水を防ぎ、吐水装置１の使い勝手を向上させることができる。また、この場合、第１センサ１４０を停止させることで、吐水装置１の消費電力を低減することも可能となる。
【００６１】
（第２実施形態）
図５は、第２実施形態に係る吐水装置２を表す断面図である。
図６は、第２実施形態に係る吐水装置２の構成の一部を表すブロック図である。
なお、図５では、図２と同様に構成要素の一部が省略されている。
【００６２】
図５および図６に表したように、第２実施形態に係る吐水装置２は、第１実施形態に係る吐水装置１に対して、第３センサ１６０をさらに備える。第３センサ１６０は、保持部１３０への吐水部１２０の脱着を検出する。第３センサ１６０は、例えばリードスイッチであり、保持部１３０の内側に設けられる。
【００６３】
制御部１７０の吐水禁止検知判定部１７２は、第２センサ１５０から出力される検出信号に加え、第３センサ１６０から出力される第３検出信号に基づき、自動吐水を禁止する。この点について、以下で具体的に説明する。
【００６４】
図７は、第２実施形態に係る吐水装置２の動作を例示するフローチャートである。
ステップＳ１では、第２センサ１５０が吐水部１２０を取り外そうとする人体の動きを検出したか判定される。ステップＳ１で、吐水部１２０を取り外そうとする人体の動きが検出されると、ステップＳ２で、自動吐水が禁止される。
【００６５】
次に、ステップＳ３では、第３センサ１６０が吐水部１２０の保持部１３０からの取り外しを検出したか判定される。ステップＳ３で、吐水部１２０の取り外しが検出されると、ステップＳ４で、第２センサ１５０の検出結果に基づいた自動吐水の禁止が無効化される。それとともに、ステップＳ５で、第３センサ１６０の検出結果に基づき、自動吐水が禁止される。
【００６６】
次に、ステップＳ６では、第３センサ１６０が吐水部１２０の保持部１３０への取り付けを検出したか判定される。ステップＳ６で吐水部１２０の取り付けが検出され、ステップＳ７で所定時間が経過すると、ステップＳ８で第２センサ１５０および第３センサ１６０の検出結果に基づいた自動吐水の禁止が解除される。以降は、第１センサ１４０の検出結果に基づいて、自動吐水が行われるようになる。
【００６７】
すなわち、本実施形態に係る吐水装置２では、吐水部１２０が保持部１３０から取り外されていることを第３センサ１６０が検出すると、第２センサ１５０の検出結果に拘らず、自動吐水が禁止される。このような構成によれば、吐水部１２０が保持部１３０から取り外されているときに、第２センサ１５０の検知領域１５１から人体が離れ、第２センサ１５０による自動吐水の禁止が解除されて自動吐水されてしまうことを防止できる。従って、本実施形態によれば、吐水部１２０を保持部１３０から取り外す際の意図しない吐水を防止できるとともに、吐水部１２０を取り外した後の意図しない吐水も防止することが可能となる。
【００６８】
また、図７のフローチャートに表した動作によれば、使用者が吐水部１２０を保持部１３０から取り外して使用し、保持部１３０に取り付けた後は、所定時間経過後に自動的に自動吐水の禁止が解除される。このため、使用者が、自動吐水の禁止を解除する操作を行う必要が無く、吐水装置２の使い勝手を向上させることができる。
【００６９】
なお、本実施形態に係る吐水装置２の動作については、図７の例に限らず、種々の変更が可能である。例えば、図７のフローチャートに表した動作に代えて、以下で説明する図８のフローチャートに表した動作を吐水装置２に実行させても良い。
【００７０】
図８は、第２実施形態に係る吐水装置２の他の動作を例示するフローチャートである。
図８に表したフローチャートのステップＳ１１〜Ｓ１６は、図７に表したフローチャートのステップＳ１〜ステップＳ６と同様に実行される。ステップＳ１６で吐水部１２０の取り付けが検出されると、ステップＳ１７で、第３センサ１６０の検出結果に基づいた自動吐水の禁止が解除される。それとともに、ステップＳ１８で、第２センサ１５０の検出結果に基づいた自動吐水の禁止が有効化される。
【００７１】
その後、ステップＳ１９で、第２センサ１５０が、検知領域１５１から離れようとする人体の動き、または検知領域１５１から人体が離れたことを検出したか判定される。ステップＳ１９で、これらのいずれかが検出されると、ステップＳ２０で、第２センサ１５０の検出結果に基づいた自動吐水の禁止が解除される。以降は、第１センサ１４０の検出結果に基づいて自動吐水が行われるようになる。なお、ここでは、検知領域１５１から離れようとする人体の動きとは、検知領域１５１内における人体の動きであって、人体と第２センサ１５０との距離が長くなるような動きを言う。
【００７２】
図８のフローチャートに表した動作によれば、使用者が吐水部１２０を保持部１３０から取り外して使用し、保持部１３０に取り付けた後は、吐水装置２から離れると自動的に自動吐水の禁止が解除される。このため、使用者が、自動吐水の禁止を解除する操作を行う必要が無く、吐水装置２の使い勝手を向上させることができる。
【００７３】
また、図７および図８に表したフローチャートにおいて、第３センサ１６０が吐水部１２０の取り外しを検出している間は、第２センサ１５０を停止させても良い。こうすることで、吐水部１２０を保持部１３０から取り外した後の意図しない吐水を防止できるとともに、吐水装置２の消費電力を低減することが可能である。
【００７４】
または、制御部１７０によって、図７に表したステップＳ１３〜Ｓ１８が実行されることで、第２センサ１５０の検出精度の低下を抑制することができる。
具体的には、制御部１７０は、ステップＳ１３〜Ｓ１５において、吐水部１２０が保持部１３０から取り外されていることを第３センサ１６０が検出すると、第２センサ１５０の検出結果に基づく吐水部１２０からの吐水の禁止を無効化し、第３センサ１６０の検出結果に基づいて吐水部１２０からの吐水を禁止する。
そして、制御部１７０は、ステップＳ１６〜Ｓ１８において、吐水部１２０が保持部１３０に取り付けられたことを第３センサ１６０が検出すると、第３センサ１６０の検出結果に基づく吐水部１２０からの吐水の禁止を解除し、第２センサ１６０の検出結果に基づく吐水部１２０からの吐水の禁止を有効化する。
この制御によれば、第２センサ１５０を停止させずに、第２センサ１５０および第３センサ１６０の検出結果に基づく吐水部１２０からの吐水の禁止を制御することができる。第２センサ１５０を停止させると、その後起動させた際に、一時的に第２センサ１５０における通電が安定せず、検出精度が低下してしまう可能性がある。しかし、この方法によれば、第２センサ１５０を停止させる必要が無く、第２センサ１５０の検出精度の低下を抑制することが可能である。
【００７５】
吐水装置２は、図６に表したように、照明部１８０をさらに備えていても良い。この場合、制御部１７０は、照明検知判定部１７３をさらに有する。
【００７６】
照明検知判定部１７３は、第２センサ１５０から出力される検出信号が、照明部１８０の点灯または消灯の条件を満たしているか判定する。一例として、第２センサ１５０が電波センサである場合、照明検知判定部１７３は、この検出信号の電圧の振幅値と、所定の第２閾値と、を比較する。振幅値が第２閾値を超えた場合、照明検知判定部１７３は、吐水装置２の周りに人体が有ると判定する。制御部１７０は、この判定結果を受けて、照明部１８０を点灯させる。振幅値が第２閾値を下回る場合、照明検知判定部１７３は、吐水装置２の周りに人体が無いと判定する。制御部１７０は、この判定結果を受けて照明部１８０を消灯させる。
【００７７】
このように、吐水装置２は、第２センサ１５０の検出結果に基づいて、自動吐水の禁止以外の制御を行っても良い。
【００７８】
なお、吐水禁止検知判定部１７２において、吐水部１２０を取り外そうとする人体の動きを判定するための第１閾値は、吐水の禁止以外の制御を行うための第２閾値よりも高いことが望ましい。この点について、以下で図９を参照して説明する。
【００７９】
図９は、第２実施形態に係る吐水装置２の第２センサ１５０から出力される検出信号を例示するグラフである。なお、図９は、第２センサ１５０が電波センサである場合の検出信号を例示している。図９において、横軸は時間を表し、縦軸は検出信号の電圧を表している。
【００８０】
図９のグラフの左側に表されるように、吐水装置２の周りに人体が無い場合、電波の反射量が小さいため、第２センサ１５０から出力される検出信号の電圧の振幅値も小さい。その後、人体が吐水装置２に接近すると、電圧の振幅値が増大する。このとき、振幅値が第２閾値Ｖｔｈ２を超えると、制御部１７０は、照明部１８０の点灯などの自動吐水の禁止以外の制御を行う。
【００８１】
次に、例えば吐水装置２で手洗いが行われる。このとき、手は、第２センサ１５０の下方に差し出されるため、電圧の振幅値は大きく変動しない。その後、使用者が吐水部１２０を取り外そうとして、第２センサ１５０の前方に手が差し出されると、振幅値が増大し、第１閾値Ｖｔｈ１を超える。振幅値が第１閾値Ｖｔｈ１を超えると、制御部１７０は、自動吐水を禁止する。
【００８２】
このように、第２センサ１５０の検出結果を用いて、自動吐水の禁止以外の制御も行うことで、吐水装置２に設けられるセンサの数を減らし、吐水装置２を小型化することが可能となる。また、自動吐水を禁止するための第１閾値Ｖｔｈ１が、自動吐水の禁止以外の制御を行うための第２閾値Ｖｔｈ２よりも高く設定されることで、使用者が吐水装置２に接近した際に、誤って自動吐水が禁止されてしまうことを防ぎ、吐水装置２の使い勝手を向上させることができる。
【００８３】
なお、ここでは、吐水装置２が照明部１８０を備える場合について説明したが、吐水装置１が照明部１８０を備えていても良い。また、吐水装置１において、制御部１７０は、第２センサ１５０の検出結果を用いて、自動吐水の禁止に加えて、自動吐水の禁止以外の制御を行っても良い。
【００８４】
以上で説明した各実施形態に係る吐水装置は、洗面化粧台や、トイレ、キッチン、浴室など、様々な場所で用いることが可能である。
【００８５】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、吐水装置１および２が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８６】
１、２ 吐水装置、  １１０ 給水ホース、  １２０ 吐水部、  １２１ 吐水口、  １２５ ボウル、  １３０ 保持部、  １３１ 引出口、  １３５ 操作部、  １３６ 報知部、  １４０ 第１センサ、  １４１ 検知領域、  １５０ 第２センサ、  １５１ 検知領域、  １６０ 第３センサ、  １７０ 制御部、  １７１ 吐止水検知判定部、  １７２ 吐水禁止検知判定部、  １７３ 照明検知判定部、  １８０ 照明部
【図１】
2018168529.tif 000003
【図２】
2018168529.tif 000004
【図３】
2018168529.tif 000005
【図４】
2018168529.tif 000006
【図５】
2018168529.tif 000007
【図６】
2018168529.tif 000008
【図７】
2018168529.tif 000009
【図８】
2018168529.tif 000010
【図９】
2018168529.tif 000011